(57)【要約】【課題】  最中状に重ねられる第１分割部材と第２分割部材から成る排気系部材の端部と挿入部材の外周面を全周に亘って溶接する際に、排気系部材の内部にスパッタが侵入するのを防止できる排気系部材と挿入部材の接続構造の提供。【解決手段】  第１分割部４４と第２分割部４５ａを備え、両分割部44,45を最中状に重ねて各膨出部４４ｃの内側にそれぞれ対応する突出部４５ｃを嵌合し、且つ、該両分割部44,45の端部同士を突き合わせて全体を円形断面とした後、該両分割部44,45の両側縁部同士を溶接Ｘ１で固定することによりディフューザ４３を形成し、ディフューザ４３の端部４３ａに触媒坦体ケース４１を挿入した後、該端部と触媒坦体ケース４１の外周面を全周に亘って溶接Ｘ２で固定した。【選択図】      図２
2008121550.tif 000002
【特許請求の範囲】
【請求項１】
両側縁部に端部を除いて外側へ膨出した膨出部を有する略半円筒状の第１分割部と、
両側縁部に端部を除いて第１分割部のそれぞれ対応する膨出部の内側に嵌合可能な突出部を有する略半円筒状の第２分割部を備え、
前記両分割部を最中状に重ねて各膨出部の内側にそれぞれ対応する突出部を嵌合し、且つ、該両分割部の端部同士を突き合わせて全体を円形断面とした後、該両分割部の両側縁部同士を溶接固定することにより排気系部材を形成し、
前記排気系部材の端部に挿入部材を挿入した後、該端部と挿入部材の外周面を全周に亘って溶接固定したことを特徴とする排気系部材と挿入部材の接続構造。
【請求項２】
請求項１記載の排気系部材と挿入部材の接続構造において、
前記排気系部材を触媒コンバータのディフューザとし、挿入部材を触媒担体が収容された触媒坦体ケースとしたことを特徴とする排気系部材と挿入部材の接続構造。
【発明の詳細な説明】
【技術分野】
【０００１】
本発明は、排気系部材と挿入部材の接続構造に関する。
【背景技術】
【０００２】
従来、図６に示すように、略半円筒状の分割部０１２の両側縁部から外側へ膨出形成された膨出部０１２ａの内側に略半円筒状の分割部０１１の両側縁部を重ねて全体を略円形断面とした後、該両分割部011,012の両側縁部同士を溶接固定することにより排気系部材０１０を形成し、この排気系部材０１０の端部に図外の挿入部材を挿入した後、該端部と挿入部材の外周面を全周に亘って溶接固定した排気系部材と挿入部材の接続構造の技術が公知になっている（特許文献１、２参照）。
【特許文献１】特開２００４−９２５１２号公報
【特許文献２】特開平９−３２９０１９号公報
【発明の開示】
【発明が解決しようとする課題】
【０００３】
しかしながら、従来の発明にあっては、排気系部材の端部と挿入部材との間に隙間Ｏ（図６参照）が生じるため、これら両者を全周に亘って溶接する際にこの隙間Ｏを閉じるために多量の溶接材が必要になると共に、比較的長時間を要するという問題点があった。
【０００４】
本発明は上記課題を解決するためになされたものであって、最中状に重ねられる第１分割部材と第２分割部材から成る排気系部材の端部と挿入部材の外周面を全周に亘って溶接する際に比較的短時間で多量の溶接材を不要とすることができる排気系部材と挿入部材の接続構造を提供することである。
【課題を解決するための手段】
【０００５】
本発明の請求項１記載の発明では、両側縁部に端部を除いて外側へ膨出した膨出部を有する略半円筒状の第１分割部と、両側縁部に端部を除いて第１分割部のそれぞれ対応する膨出部の内側に嵌合可能な突出部を有する略半円筒状の第２分割部を備え、前記両分割部を最中状に重ねて各膨出部の内側にそれぞれ対応する突出部を嵌合し、且つ、該両分割部の端部同士を突き合わせて全体を円形断面とした後、該両分割部の両側縁部同士を溶接固定することにより排気系部材を形成し、前記排気系部材の端部に挿入部材を挿入した後、該端部と挿入部材の外周面を全周に亘って溶接固定したことを特徴とする。
【発明の効果】
【０００６】
本発明の請求項１記載の発明にあっては、両側縁部に端部を除いて外側へ膨出した膨出部を有する略半円筒状の第１分割部と、両側縁部に端部を除いて第１分割部のそれぞれ対応する膨出部の内側に嵌合可能な突出部を有する略半円筒状の第２分割部を備え、前記両分割部を最中状に重ねて各膨出部の内側にそれぞれ対応する突出部を嵌合し、且つ、該両分割部の端部同士を突き合わせて全体を円形断面とした後、該両分割部の両側縁部同士を溶接固定することにより排気系部材を形成し、前記排気系部材の端部に挿入部材を挿入した後、該端部と挿入部材の外周面を全周に亘って溶接固定したため、第１分割部材と第２分割部材から成る排気系部材の端部と挿入部材の外周面を全周に亘って溶接する際に比較的短時間で多量の溶接材を不要とすることができる。
【発明を実施するための最良の形態】
【０００７】
以下、この発明の実施例を図面に基づいて説明する。
【実施例１】
【０００８】
以下、実施例１を説明する。
なお、排気系部材を触媒コンバータのディフューザとし、挿入部材を触媒担体が収容された触媒坦体ケースとした場合について説明する。
図１は本発明の実施例１の排気系部材と挿入部材の接続構造が採用された排気系を説明する図、図２は本実施例１のディフューザの分解斜視図、図３は同斜視図、図４、５は本実施例１の触媒コンバータのディフューザと触媒坦体ケースの固定を説明する図である。
【０００９】
先ず、全体構成を説明する。
図１に示すように、本実施例１の排気系部材と挿入部材の接続構造が採用された排気系では、エンジン１と、エンジン１に接続されたエキゾーストマニホールド２及びフランジ３を介して接続された触媒コンバータ４と、この触媒コンバータ４にフランジ５及び接続管６を介して接続されたサブマフラ７と、このサブマフラ７にフランジ８及び接続管９を介して接続されたメインマフラ１０が備えられている。
【００１０】
触媒コンバータ４は、金属製筒状の触媒坦体ケース４１（請求項の挿入部材に相当）と、この触媒坦体ケース４１の両端部に接続された金属製筒状のディフューザ42,43（請求項の排気系部材に相当）とから構成されている。
【００１１】
また、触媒坦体ケース４１の内部には、触媒担体４１ａ（図４参照）が収容されている。
触媒担体４１ａは、図示を省略する金属製の波板と平板を多重に券回して略円柱状に形成される金属製触媒坦体、あるいは多孔質のセラミックス製で略円柱状に形成されるセラミック性触媒坦体が採用される他、その軸方向に貫通形成された排気通路の表面に触媒成分（Ｐｔ等）が坦持されることにより、触媒坦体ケース４１内に流入した排気ガスの有害成分（ＮＯｘ、ＣＯ等）を触媒作用により無害物質（ＣＯ２、Ｈ２Ｏ等）にして排出するようになっている。
なお、金属製触媒坦体の場合には触媒坦体ケース４１内に触媒担体４１ａが拡散接合により固定され、セラミックス製触媒坦体の場合には触媒坦体ケース４１内に触媒担体４１ａがマットを介して圧入固定される。
【００１２】
以下、触媒坦体ケース４１とディフューザ42,43との接続構造は同様であるため、触媒坦体ケース４１とディフューザ４３との接続構造について詳述する。
【００１３】
図２に示すように、ディフューザ４３は、両側縁部に両端部44a,44bを除いて外側へ膨出した膨出部４４ｃを有する略半円筒状の第１分割部４４と、両側縁部に両端部45a,45bを除いて第１分割部４４のそれぞれ対応する膨出部４４ｃの内側に嵌合可能な突出部４５ｃを有する略半円筒状の第２分割部４５とから構成されている。
【００１４】
そして、図３に示すように、両分割部44,45を最中状に重ねて各膨出部４４ｃの内側にそれぞれ対応する突出部４５ｃを嵌合し、該両分割部44,45の両端部同士を突き合わせて全体を円形断面とした後、該両分割部44,45の両側縁部同士をそれぞれ溶接Ｘ１（太線で図示）で固定することによりディフューザ４３が形成されている。
この際、溶接Ｘ１は直線状の溶接線でもって両分割部44,45の両側縁部同士を溶接固定でき、溶接性が良くなっている。
【００１５】
次に、図４に示すように、ディフューザ４３の排気ガス上流側の端部４３ａに触媒坦体ケース４１を所定深さまで挿入した後、図５に示すように、該上流側端部４３ａと触媒坦体ケース４１の外周面を全周に亘って溶接Ｘ２で固定することにより、これら両者が固定されている。
【００１６】
ここで、従来の発明にあっては、膨出部と突出部がディフューザの端部まで形成されていたため、この端部と挿入部材との間に隙間が生じ、この隙間を閉じるために多量の溶接材が必要になると共に、比較的長時間を要するという問題点があった。
【００１７】
これに対し、本実施例１では、前述したように、両分割部44,45の両端部同士を突き合わせて全体を円形断面としているため、ディフューザ４３の排気ガス上流側の端部４３ａと触媒坦体ケース４１との間に隙間が形成されず、ディフューザ４３内にスパッタが侵入するのを防止でき、これら両者を少量の溶接Ｘ２で比較的短時間で溶接することができる。
【００１８】
また、ディフューザ４３の排気ガス下流側の端部４３ｂにはフランジ５が外嵌した状態で該フランジ５の貫通孔周縁部がディフューザ４３の外周面の全周に亘って図示しない溶接で固定される。
なお、触媒坦体ケース４１とディフューザ４２及びフランジ３との接続も同様に行う。
【００１９】
次に、効果を説明する。
以上、説明したように、本実施例１の排気系部材と挿入部材の接続構造にあっては、両側縁部に端部44a,44bを除いて外側へ膨出した膨出部４４ｃを有する略半円筒状の第１分割部４４と、両側縁部に端部45a,45bを除いて第１分割部４４のそれぞれ対応する膨出部４４ｃの内側に嵌合可能な突出部４５ｃを有する略半円筒状の第２分割部４５ａを備え、両分割部44,45を最中状に重ねて、各膨出部４４ｃの内側にそれぞれ対応する突出部４５ｃを嵌合し、且つ、該両分割部44,45の端部同士を突き合わせて全体を円形断面とした後、該両分割部44,45の両側縁部同士を溶接Ｘ１固定することによりディフューザ４３を形成し、ディフューザ４３の端部４３ａに触媒坦体ケース４１を挿入した後、該端部と触媒坦体ケース４１の外周面を全周に亘って溶接Ｘ２固定したため、第１分割部４４と第２分割部４５ａから成るディフューザ４３の端部と触媒坦体ケース４１の外周面を全周に亘って溶接Ｘ２する際に、少量の溶接材で比較的短時間で溶接することができる。
【００２０】
以上、本実施例を説明してきたが、本発明は上述の実施例に限られるものではなく、本発明の要旨を逸脱しない範囲の設計変更等があっても、本発明に含まれる。
例えば、排気系部材は触媒コンバータ４のディフューザ４３に限らず、排気管との接続においても同様の効果を得ることができる。
【図面の簡単な説明】
【００２１】
【図１】本発明の実施例１の排気系部材と挿入部材の接続構造が採用された排気系を説明する図である。
【図２】本実施例１のディフューザの分解斜視図である。
【図３】本実施例１のディフューザの斜視図である。
【図４】本実施例１の触媒コンバータのディフューザと触媒坦体ケースの固定を説明する図である。
【図５】本実施例１の触媒コンバータのディフューザと触媒坦体ケースの固定を説明する図である。
【図６】従来の排気系部材と挿入部材の接続構造を説明する図である。
【符号の説明】
【００２２】
Ｘ１、Ｘ２  溶接
１  エンジン
２  エキゾーストマニホールド
３、５、８  フランジ
４  触媒コンバータ
６、９  接続管
７  サブマフラ
１０  メインマフラ
４１  触媒坦体ケース
４１ａ  触媒坦体
４２、４３  ディフューザ
４３ａ  （ディフューザの）端部
４４  第１分割部
４４ａ、４４ｂ  （第１分割部の）端部
４４ｃ  膨出部
４５  第２分割部
４５ａ、４５ｂ  （第２分割部の）端部
４５ｃ  突出部
【図１】
2008121550.tif 000003
【図２】
2008121550.tif 000004
【図３】
2008121550.tif 000005
【図４】
2008121550.tif 000006
【図５】
2008121550.tif 000007
【図６】
2008121550.tif 000008